(57)【要約】【課題】バネ装置等の部品を変更することなく倒れ障子の最大開度を容易に変更できる倒し窓を提供する。【解決手段】建物開口部に設けられる枠体１内に倒れ障子２を室外側に向かって傾倒自在に納めてなるものであって、枠体１を構成する縦枠３０の内周面にはガイド溝８０が設けられ、ガイド溝８０は倒れ障子２の傾倒角度に対応して上下方向にスライドするスライダ６を案内すると共に、倒れ障子２の最大開度を所定角度に規制するスライダ６のストッパ部７を有してなる。【選択図】図３
2007315131.tif 000002
【特許請求の範囲】
【請求項１】
建物開口部に設けられる枠体内に倒れ障子を室外側に向かって傾倒自在に納めてなる倒し窓において、
前記枠体を構成する縦枠の内周面にはガイド溝が設けられ、該ガイド溝は前記倒れ障子の傾倒角度に対応して上下方向にスライドするスライダを案内すると共に、前記倒れ障子の最大開度を所定角度に規制する前記スライダのストッパ部を有することを特徴とする倒し窓。
【請求項２】
前記ガイド溝には前記ストッパ部を取付可能な切欠部を長手方向に複数形成し、該複数の切欠部のうち１つに前記ストッパ部を取付けてなることを特徴とする請求項１記載の倒し窓。
【請求項３】
前記ストッパ部は前記ガイド溝に形成された切欠部の端面に当接する当接部と、前記ガイド溝の両側壁にそれぞれ当接し挟持される挿入部とを有してなることを特徴とする請求項２記載の倒し窓。
【請求項４】
前記縦枠の内周面には該縦枠と別体であって前記ガイド溝を形成されたガイド部材が取付けられることを特徴とする請求項１〜３のいずれか１項に記載の倒し窓。
【発明の詳細な説明】
【技術分野】
【０００１】
本発明は、枠体内に倒れ障子を室外側に向かって傾倒自在に納めた倒し窓に関し、特に倒れ障子の最大開度を所定角度に規制することのできる倒し窓に関する。
【背景技術】
【０００２】
従来から、建物開口部に設けられる枠体内に、倒れ障子を室外側に向かって傾倒自在に納めた倒し窓が知られている。倒し窓は、部屋の高所等に設けられ、採光及び換気を行うために設置される。
【０００３】
倒し窓において倒れ障子を室外側に向かって傾倒させるための機構として、枠体を構成する縦枠にガイド溝を設け、このガイド溝には倒れ障子の傾倒角度に応じて上下方向にスライドするスライダを設けて、スライダと倒れ障子とをアームで連結したものが設けられる。ここで、倒れ障子が開く際の衝撃を抑えるために、ガイド溝にはスライダの下降運動に抗する反力を発生するバネ装置が設けられる。このような倒し窓としては、例えば特許文献１に挙げるようなものがある。
【特許文献１】特開平８−２７０３１２号公報
【発明の開示】
【発明が解決しようとする課題】
【０００４】
従来の倒し窓においては、倒れ障子が傾倒できる最大開度は、倒れ障子の自重による開き方向への力と、バネ装置が発生する反力とが釣り合う位置となっていた。このため、倒れ障子が傾倒できる最大開度の設定毎に特性の異なるバネ装置を用意したり、またその取付位置を調整する必要があって、倒し窓の高コスト化を招いていた。
【０００５】
本発明は、上記課題を解決すべくなされたものであり、バネ装置等の部品を変更することなく倒れ障子の最大開度を容易に変更できる倒し窓を提供することを目的とする。
【課題を解決するための手段】
【０００６】
上記課題を解決するため、本発明に係る倒し窓は、建物開口部に設けられる枠体内に倒れ障子を室外側に向かって傾倒自在に納めてなる倒し窓において、
前記枠体を構成する縦枠の内周面にはガイド溝が設けられ、該ガイド溝は前記倒れ障子の傾倒角度に対応して上下方向にスライドするスライダを案内すると共に、前記倒れ障子の最大開度を所定角度に規制する前記スライダのストッパ部を有することを特徴として構成されている。
【０００７】
また、本発明に係る倒し窓は、前記ガイド溝には前記ストッパ部を取付可能な切欠部を長手方向に複数形成し、該複数の切欠部のうち１つに前記ストッパ部を取付けてなることを特徴として構成されている。
【０００８】
さらに、本発明に係る倒し窓は、前記ストッパ部は前記ガイド溝に形成された切欠部の端面に当接する当接部と、前記ガイド溝の両側壁にそれぞれ当接し挟持される挿入部とを有してなることを特徴として構成されている。
【０００９】
さらにまた、本発明に係る倒し窓は、前記縦枠の内周面には該縦枠と別体であって前記ガイド溝を形成されたガイド部材が取付けられることを特徴として構成されている。
【発明の効果】
【００１０】
本発明に係る倒し窓によれば、枠体を構成する縦枠の内周面にはガイド溝が設けられ、ガイド溝は倒れ障子の傾倒角度に対応して上下方向にスライドするスライダを案内すると共に、倒れ障子の最大開度を所定角度に規制するスライダのストッパ部を有することにより、ストッパ部の位置を変更することにより倒れ障子の最大開度を容易に変更することができる。
【００１１】
また、本発明に係る倒し窓によれば、ガイド溝にはストッパ部を取付可能な切欠部を長手方向に複数形成し、複数の切欠部のうち１つにストッパ部を取付けてなることにより、ストッパ部を取付ける切欠部を選択するだけで容易に倒れ障子の最大開度を設定することができる。
【００１２】
さらに、本発明に係る倒し窓によれば、ストッパ部はガイド溝に形成された切欠部の端面に当接する当接部と、ガイド溝の両側壁にそれぞれ当接し挟持される挿入部とを有してなることにより、ストッパ部を簡易にガイド溝に対して取付けることができる。
【００１３】
さらにまた、本発明に係る倒し窓によれば、縦枠の内周面には縦枠と別体であってガイド溝を形成されたガイド部材が取付けられることにより、ガイド部材の縦枠に対する取付位置を調整することにより、倒れ障子の最大開度を調節することができる。
【発明を実施するための最良の形態】
【００１４】
本発明の実施形態について図面に沿って詳細に説明する。図１には本実施形態における倒し窓の縦断面図を、図２には倒し窓の横断面図を、それぞれ示している。これら各図に示すように、本実施形態における倒し窓は、建物開口部に設けられる枠体１内に倒れ障子２を室外側に向かって傾倒自在となるように納めてなるものである。また、枠体１内には、倒れ障子２の室内側に網戸７１が設けられる。
【００１５】
枠体１は、上枠１０と下枠２０及び左右の縦枠３０、３０を方形状に枠組みしてなるものである。枠体１を構成するこれら枠材は、それぞれ室外側を金属材で、室内側を樹脂材で構成されている。上枠１０は、室外側の金属上枠１１と室内側の樹脂上枠１２、及び上枠１０の室内側面を構成する上枠正面カバー１５から構成されている。ここで、上枠正面カバー１５は樹脂材によって形成されている。また、下枠２０は、室外側の金属下枠２１と室内側の樹脂下枠２２から構成されている。さらに、縦枠３０は、室外側の金属縦枠３１と室内側の樹脂縦枠３２から構成されている。
【００１６】
樹脂上枠１２の室内側端部には、室内側に向かって延出する室内側片１３が形成されている。また、樹脂下枠２２の室内側端部にも、室内側に向かって延出する室内側片２３が形成され、樹脂縦枠３２の室内側端部にも、同様に室内側に向かって延出する室内側片３３が形成される。すなわち、枠体１の四周に渡って室内側端部に室内側片が形成されており、これらは倒し窓の室内側に配設される額縁材（図示しない）に当接し、ネジ止め固定される。
【００１７】
金属上枠１１の外周面中間部には、外方に向かって突出するフィン部１４が形成されている。また、金属下枠２１の外周面中間部にも、外方に向かって突出するフィン部２４が形成され、金属縦枠３１の室内側端部にも、同様に外方に向かって突出するフィン部３４が形成されている。これらフィン部は建物躯体の室外面に当接し、ネジ止め固定されることによって、枠体１を建物躯体に対して固定することができる。
【００１８】
上枠１０は内部に大きな空間を有するような中空状に形成されて、収容部１６を形成している。収容部１６には、開放用ワイヤ（図示しない）の操作に伴って倒れ障子２を室外側に向かって傾倒させる開放装置９０が納められている。収容部１６を構成する室外面と上面は、金属上枠１１によって構成されている。金属上枠１１の室内側端部には、係合部１７が形成されており、この係合部１７に樹脂上枠１２が係合する。さらに樹脂上枠１２の下部には係合部１８が形成されており、この係合部１８に上枠正面カバー１５が係合し固定される。この上枠正面カバー１５によって収容部１６の室内面及び下面が構成される。
【００１９】
倒れ障子２は、上框４０と下框５０及び左右の縦框６０、６０を方形状に框組みしてなる框体３内に、ガラス板からなるパネル体４を納めてなるものである。框体３を構成する各框材は、それぞれ室外側を金属材で、室内側を樹脂材で構成されている。上框４０は、室外側の金属上框４１と室内側の樹脂上框４２から構成されている。また、下框５０は、室外側の金属下框５１と室内側の樹脂下框５２から構成されている。さらに、縦框６０は、室外側の金属縦框６１と室内側の樹脂縦框６２から構成されている。
【００２０】
パネル体４は、グレチャン７０を介して框体３に室内外面を挟持されている。パネル体４の室外面は、框体３を構成する金属材により、パネル体４の室内面は、框体３を構成する樹脂材により、それぞれ押圧され挟持される。
【００２１】
次に、倒れ障子２の開閉のための機構について説明する。倒れ障子２は、縦枠３０を長手方向にスライド自在なスライダ６にアーム８を介して連結されており、このアーム８に支持されながら室外側に向かって傾倒することができる。図３には、縦枠３０と倒れ障子２との関係を表した側面図を示している。
【００２２】
図３に示すように、縦枠３０の内周面には、ガイド部材５が設けられており、ガイド部材５には長手方向略全長に渡ってガイド溝８０が形成されている。ガイド溝８０は長手方向３箇所に切り欠かれた切欠部８１を有しており、このうち１つにはストッパ部７が取付けられる。ここでは、最上部の切欠部８１にストッパ部７を取付けている。
【００２３】
ガイド溝８０には、その上下方向にスライド自在なスライダ６が納められている。スライダ６は、倒れ障子２の傾倒角度に応じてガイド溝８０を上下方向にスライドする。倒れ障子２が閉状態のとき、スライダ６はガイド溝８０の上端部に位置し、倒れ障子２が室外側に傾倒していくのに伴って、スライダ６はガイド溝８０を下方に向かってスライドする。そして、スライダ６の下面はバネ装置９の連係部９８の上面に当接し、連係部９８の下面はストッパ部７の上面に当接することによって、それ以上下方にスライドしないように動作が規制される。これによって、倒れ障子２は所定角度まで開いて、それ以上は開かないように動作が規制される。
【００２４】
また、ガイド溝８０には切欠部８１の形成部分より下方にバネ装置固定孔８２が長手方向に沿って複数形成されており、そのうちの１つにバネ装置９が固定されている。バネ装置９は、ガイド溝８０に沿ってバネ９７を有しており、上端部にはスライダ６の下面と当接して連係する連係部９８を有している。連係部９８は、スライダ６が下方にスライドするのに伴って下方に押し下げられ、バネ９７による反力を受ける。倒れ障子２は、閉じた状態から傾倒を開始すると、自重によって室外側に向かって傾倒していくが、バネ装置９はそれに対するダンパとして機能し、倒れ障子２の傾倒動作による衝撃を緩和するようにしている。
【００２５】
ガイド溝８０に形成された複数のバネ装置固定孔８２のうち、どれにバネ装置９を固定するかによって、バネ装置９によるスライダ６に対する反力を調整することができる。バネ装置９を固定するバネ装置固定孔８２を上方にするほど、より大きな反力を発生させることができる。どの位置にバネ装置９を取付けるかは、倒れ障子２の重量に応じて適宜設定する。
【００２６】
スライダ６にはアーム８の一端が回動自在に取付けられる。アーム８の他端は、倒れ障子２の縦框６０に対し回動自在となるように取付けられる。アーム８は、倒れ障子２が室外側に傾倒するのに伴って、スライダ６に対する角度及び縦框６０に対する角度を変えながら、室外側に向かって傾倒しながら倒れ障子２を支持する。スライダ６が連係部９８を介してストッパ部７に当接すると倒れ障子２の傾倒動作は停止し、その傾倒角度でアーム８は倒れ障子２を支持する状態となる。
【００２７】
図４には、縦枠３０と縦框６０の連結部分付近の拡大横断面図を示している。この図に示すように、縦枠３０の内周面には、ガイド溝８０を有したガイド部材５がネジ止め固定されており、ガイド部材５のガイド溝８０には、その両側面に当接してスライド自在とされたスライダ６が納められる。スライダ６とアーム８は回動自在に連結され、さらにアーム８は縦框６０に対して固定片７２を介して回動自在に連結される。
【００２８】
次に、ストッパ部７の詳細について説明する。図５にはストッパ部７の正面図を、図６にはストッパ部７の側面図を、それぞれ示している。ストッパ部７は小片状に形成されており、両側部はガイド溝８０の切欠部８１に略適合する挿入部７ｂとして形成されると共に、その上部にはガイド溝８０の切欠端面に当接する当接部７ｄが形成されている。また、中央部にはネジを挿通させるネジ孔７ａが形成され、上端の中央部には、縦枠３０の内周面側に向かう立ち上がり片７ｃが形成されている。
【００２９】
図７には、ガイド部材５のストッパ部７取付位置付近の拡大正面図を示している。この図に示すように、ストッパ部７は、切欠部８１において挿入部７ｂがガイド溝８０の切欠端面に挿入され、当接部７ｄがガイド溝８０の切欠端面に当接する。また、切欠部８１には中央に貫通孔８１ａが形成されていて、立ち上がり片７ｃがその下端部に挿入される。
【００３０】
図８にはガイド部材５のストッパ部７取付位置付近の拡大側面図を示している。この図に示すように、ストッパ部７の立ち上がり片７ｃは、その先端部が貫通孔８１ａ内にまで挿入され、その端面に支持されている。また、ネジ孔７ａに挿通されたネジは、ガイド部材５の底面に形成される孔５ａに挿入され、これもガイド部材５によって支持される。このように切欠部８１に取付けられたストッパ部７は、挿入部７ｂと当接部７ｄ、立ち上がり片７ｃ及びネジ孔７ａに挿通されるネジにおいてガイド部材５に支持される。
【００３１】
図９には、バネ装置９の正面図を示している。図９（ａ）は倒れ障子２が閉じた状態におけるバネ装置９を示し、図９（ｂ）は倒れ障子２が開いて連係部９８がスライダ６によって押圧された状態のバネ装置９を示している。図９（ａ）に示すように、バネ装置９はガイド部材５に固定される基部９５と、下方に向かう２本の支柱部９６が取付けられた連係部９８と、支柱部９６に保持されるバネ９７とから構成されている。
【００３２】
基部９５は、前述のようにガイド部材５に形成された複数のバネ装置固定孔８２のいずれかにネジ止め固定される。図９（ｂ）に示すように、支柱部９６は、基部９５に対しては長手方向にスライド自在とされており、連係部９８がスライダ６によって押し下げられるのに伴って下方にスライドする。バネ９７の上端部が連係部９８の下面に当接すると、倒れ障子２が自重によって室外側に傾倒しスライダ６が連係部９８を更に下方に押し下げるのに伴って、バネ９７はそれに対抗する反力を発生する。これによって倒れ障子２の傾倒に伴う衝撃を緩和することができる。
【００３３】
本実施形態の倒し窓は、ガイド部材５に複数の切欠部８１を設け、そのいずれかに倒れ障子２が予め設定された最大開度まで開いた際にスライダ６が当接してその動作を規制するストッパ部７を設ける構成としたので、ストッパ部７の取付位置を変更することによって、倒れ障子２の最大開度を容易に変更することができる。図１０には、ストッパ部７の取付位置に応じた倒れ障子２の最大開度を表した側面図を示している。
【００３４】
図１０において、ストッパ部７を最上部の切欠部８１に取付けた場合については、図３にも示した通りである。この場合には、倒れ障子２は縦枠３０に対して３０°の開度を有して動作を停止する。すなわち、ストッパ部７を最上部の切欠部８１に取付けると、倒れ障子２の最大開度を３０°に設定することができる。
【００３５】
一方、ストッパ部７を上から２番目の切欠部８１に取付けた場合、スライダ６はより下方までスライドすることができるので、倒れ障子２もより大きな角度まで開くことができる。この場合には、図１０に示すように倒れ障子２の最大開度を４５°に設定することができる。
【００３６】
さらに、ストッパ部７を上から３番目の切欠部８１に取付けた場合、スライダ６はさらに下方までスライドすることができる。この場合には、図１０に示すように倒れ障子２の最大開度を６０°に設定することができる。
【００３７】
以上、本発明の実施形態について説明したが、本発明の適用は本実施形態には限られず、その技術的思想の範囲内において様々に適用されうるものである。例えば、本実施形態では枠体１と框体３が室外側が金属材で室内側が樹脂材の複合材を用いたものについて示したが、全て金属材からなる金属サッシであっても本発明を適用することができる。また、本実施形態ではガイド溝８０を有するガイド部材５を縦枠３０とは別体として、これを縦枠３０に取付けるようにしたが、縦枠３０そのものにガイド溝８０を形成するようにしてもよい。さらに、切欠部８１の位置及び数についても、本実施形態には限られない。
【図面の簡単な説明】
【００３８】
【図１】本実施形態における倒し窓の縦断面図である。
【図２】本実施形態における倒し窓の横断面図である。
【図３】縦枠と倒れ障子との関係を示した側面図である。
【図４】縦枠と縦框の連結部分付近の拡大横断面図である。
【図５】ストッパ部の正面図である。
【図６】ストッパ部の側面図である。
【図７】ガイド部材のストッパ部取付位置付近の拡大正面図である。
【図８】ガイド部材のストッパ部取付位置付近の拡大側面図である。
【図９】バネ装置の正面図である。
【図１０】ストッパ部の取付位置に応じた倒れ障子の最大開度を示した側面図である。
【符号の説明】
【００３９】
１    枠体
２    倒れ障子
３    框体
４    パネル体
５    ガイド部材
６    スライダ
７    ストッパ部
８    アーム
９    バネ装置
１０    上枠
２０    下枠
３０    縦枠
４０    上框
５０    下框
６０    縦框
８０    ガイド溝
８１    切欠部
８２    バネ装置固定孔
【図１】
2007315131.tif 000003
【図２】
2007315131.tif 000004
【図３】
2007315131.tif 000005
【図４】
2007315131.tif 000006
【図５】
2007315131.tif 000007
【図６】
2007315131.tif 000008
【図７】
2007315131.tif 000009
【図８】
2007315131.tif 000010
【図９】
2007315131.tif 000011
【図１０】
2007315131.tif 000012